【手続補正書】
【提出日】平成16年2月10日(2004.2.10)
【手続補正１】
【補正対象書類名】明細書
【補正対象項目名】特許請求の範囲
【補正方法】変更
【補正の内容】
【特許請求の範囲】
【請求項１】
現金の取引を行なう自動取引装置に対して、この自動取引装置に必要な資金量を予測する資金予測方法において、
資金予測を行なうための任意の日時を指定し、
前記自動取引装置の現金情報を基に、現時点から前記指定された日時まで前記自動取引装置を運用させる場合に必要な資金量を予測し、
この予測した資金量に応じて、前記自動取引装置に対する現金の補充量あるいは回収量を算出し、
この算出した補充量あるいは回収量を表示する
ことを特徴とする資金予測方法。
【請求項２】
現金の取引を行なう自動取引装置に対して、この自動取引装置に必要な資金量を予測する資金予測方法において、
資金予測を行なうための各種条件として現在日時、前記自動取引装置が設置される金融機関の営業日、前記自動取引装置の稼働時間帯、前記自動取引装置の設置状況、資金量に対するマージン量などを設定するとともに、
資金予測を行なうための任意の日時を指定し、
前記設定された各種条件並びに前記自動取引装置の現金情報を基に、現時点から前記指定された日時まで前記自動取引装置を運用させる場合に必要な資金量を予測し、
この予測した資金量に応じて、前記自動取引装置に対する現金の補充量あるいは回収量を算出し、
この算出した補充量あるいは回収量を表示する
ことを特徴とする資金予測方法。
【請求項３】
現金の取引を行なう自動取引装置に対して、この自動取引装置に必要な資金量を予測する資金予測方法において、
資金予測を行なうための任意の日時を指定し、
前記自動取引装置の現金情報を基に、現時点から前記指定された日時まで前記自動取引装置を運用させる場合に必要な資金量を予測し、
この予測した資金量に基づき前記自動取引装置の現金の在高推移グラフを作成し、
この作成された現金の在高推移グラフに基づき、前記自動取引装置に対する現金の補充量あるいは回収量を算出し、
前記作成された在高推移グラフを表示するとともに、前記算出された現金の補充量あるいは回収量を表示する
ことを特徴とする資金予測方法。
【請求項４】
現金の取引を行なう複数の自動取引装置に対して、これら複数の自動取引装置それぞれの必要な資金量を予測する資金予測方法において、
前記複数の自動取引装置それぞれの現金の在高などの現金情報を管理し、
資金予測を行なうための任意の日時を指定し、
前記管理されている前記複数の自動取引装置それぞれの現金情報を基に、現時点から前記指定された日時まで前記複数の自動取引装置それぞれを運用させる場合に必要な資金量を予測し、
この予測した資金量に応じて、前記複数の自動取引装置それぞれの現金の補充量あるいは回収量を算出し、
この算出した現金の補充量あるいは回収量を表示し、
前記予測された資金量に基づき、前記複数の自動取引装置それぞれの現金の在高推移データを作成し、
この作成された在高推移データを監視し、前記予測した在高推移とは異常に異なる在高推移の状態となった場合に、その旨を係員に警告する
ことを特徴とする資金予測方法。
【請求項５】
現金の取引を行なう複数の自動取引装置に対して、これら複数の自動取引装置それぞれの必要な資金量を予測して管理する現金管理システムにおいて、
前記複数の自動取引装置それぞれの現金の在高などの現金情報を管理する管理手段と、
資金予測を行なうための任意の日時を指定する指定手段と、
前記管理手段にて管理されている前記複数の自動取引装置それぞれの現金情報を基に、現時点から前記指定手段にて指定された日時まで前記複数の自動取引装置それぞれを運用させる場合に必要な資金量を予測する予測手段と、
この予測手段にて予測した資金量に応じて、前記複数の自動取引装置それぞれの現金の補充量あるいは回収量を算出する算出手段と、
この算出手段にて算出した現金の補充量あるいは回収量を表示する表示手段と、
を具備したことを特徴とする現金管理システム。
【請求項６】
現金の取引を行なう複数の自動取引装置に対して、これら複数の自動取引装置それぞれの必要な資金量を予測して管理する現金管理システムにおいて、
前記複数の自動取引装置それぞれの現金の在高などの現金情報を管理する管理手段と、
資金予測を行なうための各種条件として現在日時、前記自動取引装置が設置される金融機関の営業日、前記自動取引装置の稼働時間帯、前記自動取引装置の設置状況、資金量に対するマージン量などを設定する条件設定手段と、
資金予測を行なうための任意の日時を指定する指定手段と、
前記条件設定手段にて設定された各種条件並びに、前記管理手段にて管理されている前記複数の自動取引装置それぞれの現金情報を基に、現時点から前記指定手段にて指定された日時まで前記複数の自動取引装置それぞれを運用させる場合に必要な資金量を予測する予測手段と、
前記予測手段にて予測された資金量に応じて前記複数の自動取引装置それぞれの現金の補充量あるいは回収量を算出する算出手段と、
この算出手段にて算出した現金の補充量あるいは回収量を表示する表示手段と、
を具備したことを特徴とする現金管理システム。
【請求項７】
現金の取引を行なう複数の自動取引装置に対して、これら複数の自動取引装置それぞれの必要な資金量を予測して管理する現金管理システムにおいて、
前記複数の自動取引装置それぞれの現金の在高などの現金情報を管理する管理手段と、
資金予測を行なうための任意の日時を指定する指定手段と、
前記管理手段にて管理されている前記複数の自動取引装置それぞれの現金情報を基に、現時点から前記指定手段にて指定された日時まで前記複数の自動取引装置それぞれを運用させる場合に必要な資金量を予測する予測手段と、
この予測手段にて予測した資金量に基づき、前記自動取引装置の現金の在高推移グラフを作成する処理手段と、
この処理手段にて作成された現金の在高椎移グラフに基づき、前記自動取引装置に対する現金の補充量あるいは回収量を算出する算出手段と、
前記処理手段にて作成された現金の在高推移グラフを表示するとともに、前記算出手段にて算出された現金の補充量あるいは回収量を表示する表示手段と、
を具備したことを特徴とする現金管理システム。
【請求項８】
現金の取引を行なう複数の自動取引装置に対して、これら複数の自動取引装置それぞれの必要な資金量を予測して管理する現金管理システムにおいて、
前記複数の自動取引装置それぞれの現金の在高などの現金情報を管理する管理手段と、
資金予測を行なうための任意の日時を指定する指定手段と、
前記管理手段にて管理されている前記複数の自動取引装置それぞれの現金情報を基に、現時点から前記指定手段にて指定された日時まで前記複数の自動取引装置それぞれを運用させる場合に必要な資金量を予測する予測手段と、
この予測手段にて予測した資金量に応じて、前記自動取引装置それぞれの現金の補充量あるいは回収量を算出する算出手段と、
この算出手段にて算出された前記自動取引装置それぞれの現金の補充量あるいは回収量を示す一覧表を作成する作成手段と、
この作成手段にて作成された前記自動取引装置それぞれの現金の補充量あるいは回収量を示す一覧表を表示する表示手段と、
を具備したことを特徴とする現金管理システム。
【請求項９】
現金の取引を行なう複数の自動取引装置に対して、これら複数の自動取引装置それぞれの必要な資金量を予測して管理する現金管理システムにおいて、
前記複数の自動取引装置それぞれの現金の在高などの現金情報を管理する管理手段と、
資金予測を行なうための任意の日時を指定する指定手段と、
前記管理手段にて管理されている前記複数の自動取引装置それぞれの現金情報を基に、現時点から前記指定手段にて指定された日時まで前記複数の自動取引装置それぞれを運用させる場合に必要な資金量を予測する予測手段と、
この予測手段にて予測した資金量に応じて、前記複数の自動取引装置それぞれの現金の補充量あるいは回収量を算出する算出手段と、
この算出手段にて算出した現金の補充量あるいは回収量を表示する表示手段と、
前記予測手段にて予測された資金量に基づき、前記複数の自動取引装置それぞれの現金の在高推移データを作成する在高推移データ作成手段と、
この在高推移データ作成手段にて作成された在高推移データを監視し、前記予測手段にて予測した在高推移とは異常に異なる在高推移の状態となった場合に、その旨を係員に警告する予測監視手段と、
を具備したことを特徴とする現金管理システム。
【請求項１０】
金融機関の店舗内に設置される複数の自動取引装置の現金の在高を含む運用状態を管理する現金管理システムであって、この現金管理システムは、店舗内に設置されている複数の自動取引装置に対して補充または回収する現金を収納して前記複数の自動取引装置の間を移動するキャリアを備えた群管理機能を有し、前記キャリアを備えた店舗においては、この群管理機能を用いて複数の自動取引装置の現金の管理を行なうものであって、
前記複数の自動取引装置それぞれの現金の在高などの現金情報を管理する管理手段と、
資金予測を行なうための任意の日時を指定する指定手段と、
資金予測を行なうために、あらかじめマージンとしての第１の予備量を設定する設定手段と、
前記管理手段にて管理されている前記複数の自動取引装置それぞれの現金情報並びに前記設定手段にて設定された予備量に基づいて、現時点から前記指定手段にて指定された日時まで前記複数の自動取引装置それぞれを運用させる場合に必要な資金量を予測し、かつ、この予測した資金量に応じて前記複数の自動取引装置それぞれの現金の補充量あるいは回収量を算出する資金予測手段とを有し、
この資金予測手段は、
前記複数の自動取引装置個々に対する現金の補充量または回収量を算出する際には、前記設定手段にて設定された第１の予備量を用いて現金の補充量または回収量を算出する第１の算出手段と、
前記キャリアが設置されていない店舗にて前記複数の自動取引装置全体としての現金の補充量または回収量を算出する際には、前記設定手段にて設定された第１の予備量に対して前記複数の自動取引装置の設置台数分を加えた第２の予備量を求め、この第２の予備量を用いて現金の補充量または回収量を算出する第２の算出手段と、
前記キャリアが設置されている店舗にて前記複数の自動取引装置全体としての現金の補充量または回収量を算出する際には、前記第２の予備量よりも少ない第３の予備量を求め、この第３の予備量を用いて現金の補充量または回収量を算出する第３の算出手段と、
を具備したことを特徴とする現金管理システム。
【手続補正２】
【補正対象書類名】明細書
【補正対象項目名】００１３
【補正方法】変更
【補正の内容】
【００１３】
【課題を解決するための手段】
本発明の資金予測方法は、現金の取引を行なう自動取引装置に対して、この自動取引装置に必要な資金量を予測する資金予測方法において、資金予測を行なうための任意の日時を指定し、前記自動取引装置の現金情報を基に、現時点から前記指定された日時まで前記自動取引装置を運用させる場合に必要な資金量を予測し、この予測した資金量に応じて、前記自動取引装置に対する現金の補充量あるいは回収量を算出し、この算出した補充量あるいは回収量を表示することを特徴とする。


【手続補正３】
【補正対象書類名】明細書
【補正対象項目名】００１４
【補正方法】変更
【補正の内容】
【００１４】
また、本発明の資金予測方法は、現金の取引を行なう自動取引装置に対して、この自動取引装置に必要な資金量を予測する資金予測方法において、資金予測を行なうための各種条件として現在日時、前記自動取引装置が設置される金融機関の営業日、前記自動取引装置の稼働時間帯、前記自動取引装置の設置状況、資金量に対するマージン量などを設定するとともに、資金予測を行なうための任意の日時を指定し、前記設定された各種条件並びに前記自動取引装置の現金情報を基に、現時点から前記指定された日時まで前記自動取引装置を運用させる場合に必要な資金量を予測し、この予測した資金量に応じて、前記自動取引装置に対する現金の補充量あるいは回収量を算出し、この算出した補充量あるいは回収量を表示することを特徴とする。


【手続補正４】
【補正対象書類名】明細書
【補正対象項目名】００１５
【補正方法】変更
【補正の内容】
【００１５】
また、本発明の資金予測方法は、現金の取引を行なう自動取引装置に対して、この自動取引装置に必要な資金量を予測する資金予測方法において、資金予測を行なうための任意の日時を指定し、前記自動取引装置の現金情報を基に、現時点から前記指定された日時まで前記自動取引装置を運用させる場合に必要な資金量を予測し、この予測した資金量に基づき前記自動取引装置の現金の在高推移グラフを作成し、この作成された現金の在高推移グラフに基づき、前記自動取引装置に対する現金の補充量あるいは回収量を算出し、前記作成された在高推移グラフを表示するとともに、前記算出された現金の補充量あるいは回収量を表示することを特徴とする。


【手続補正５】
【補正対象書類名】明細書
【補正対象項目名】００１６
【補正方法】変更
【補正の内容】
【００１６】
また、本発明の資金予測方法は、現金の取引を行なう複数の自動取引装置に対して、これら複数の自動取引装置それぞれの必要な資金量を予測する資金予測方法において、前記複数の自動取引装置それぞれの現金の在高などの現金情報を管理し、資金予測を行なうための任意の日時を指定し、前記管理されている前記複数の自動取引装置それぞれの現金情報を基に、現時点から前記指定された日時まで前記複数の自動取引装置それぞれを運用させる場合に必要な資金量を予測し、この予測した資金量に応じて、前記複数の自動取引装置それぞれの現金の補充量あるいは回収量を算出し、この算出した現金の補充量あるいは回収量を表示し、前記予測された資金量に基づき、前記複数の自動取引装置それぞれの現金の在高推移データを作成し、この作成された在高推移データを監視し、前記予測した在高推移とは異常に異なる在高推移の状態となった場合に、その旨を係員に警告することを特徴とする。


【手続補正６】
【補正対象書類名】明細書
【補正対象項目名】００１７
【補正方法】変更
【補正の内容】
【００１７】
また、本発明の現金管理システムは、現金の取引を行なう複数の自動取引装置に対して、これら複数の自動取引装置それぞれの必要な資金量を予測して管理する現金管理システムにおいて、前記複数の自動取引装置それぞれの現金の在高などの現金情報を管理する管理手段と、資金予測を行なうための任意の日時を指定する指定手段と、前記管理手段にて管理されている前記複数の自動取引装置それぞれの現金情報を基に、現時点から前記指定手段にて指定された日時まで前記複数の自動取引装置それぞれを運用させる場合に必要な資金量を予測する予測手段と、この予測手段にて予測した資金量に応じて、前記複数の自動取引装置それぞれの現金の補充量あるいは回収量を算出する算出手段と、この算出手段にて算出した現金の補充量あるいは回収量を表示する表示手段とを具備している。


【手続補正７】
【補正対象書類名】明細書
【補正対象項目名】００１８
【補正方法】変更
【補正の内容】
【００１８】
また、本発明の現金管理システムは、現金の取引を行なう複数の自動取引装置に対して、これら複数の自動取引装置それぞれの必要な資金量を予測して管理する現金管理システムにおいて、前記複数の自動取引装置それぞれの現金の在高などの現金情報を管理する管理手段と、資金予測を行なうための各種条件として現在日時、前記自動取引装置が設置される金融機関の営業日、前記自動取引装置の稼働時間帯、前記自動取引装置の設置状況、資金量に対するマージン量などを設定する条件設定手段と、資金予測を行なうための任意の日時を指定する指定手段と、前記条件設定手段にて設定された各種条件並びに、前記管理手段にて管理されている前記複数の自動取引装置それぞれの現金情報を基に、現時点から前記指定手段にて指定された日時まで前記複数の自動取引装置それぞれを運用させる場合に必要な資金量を予測する予測手段と、前記予測手段にて予測された資金量に応じて前記複数の自動取引装置それぞれの現金の補充量あるいは回収量を算出する算出手段と、この算出手段にて算出した現金の補充量あるいは回収量を表示する表示手段とを具備している。


【手続補正８】
【補正対象書類名】明細書
【補正対象項目名】００１９
【補正方法】変更
【補正の内容】
【００１９】
また、本発明の現金管理システムは、現金の取引を行なう複数の自動取引装置に対して、これら複数の自動取引装置それぞれの必要な資金量を予測して管理する現金管理システムにおいて、前記複数の自動取引装置それぞれの現金の在高などの現金情報を管理する管理手段と、資金予測を行なうための任意の日時を指定する指定手段と、前記管理手段にて管理されている前記複数の自動取引装置それぞれの現金情報を基に、現時点から前記指定手段にて指定された日時まで前記複数の自動取引装置それぞれを運用させる場合に必要な資金量を予測する予測手段と、この予測手段にて予測した資金量に基づき、前記自動取引装置の現金の在高推移グラフを作成する処理手段と、この処理手段にて作成された現金の在高椎移グラフに基づき、前記自動取引装置に対する現金の補充量あるいは回収量を算出する算出手段と、前記処理手段にて作成された現金の在高推移グラフを表示するとともに、前記算出手段にて算出された現金の補充量あるいは回収量を表示する表示手段とを具備している。


【手続補正９】
【補正対象書類名】明細書
【補正対象項目名】００２０
【補正方法】変更
【補正の内容】
【００２０】
また、本発明の現金管理システムは、現金の取引を行なう複数の自動取引装置に対して、これら複数の自動取引装置それぞれの必要な資金量を予測して管理する現金管理システムにおいて、前記複数の自動取引装置それぞれの現金の在高などの現金情報を管理する管理手段と、資金予測を行なうための任意の日時を指定する指定手段と、前記管理手段にて管理されている前記複数の自動取引装置それぞれの現金情報を基に、現時点から前記指定手段にて指定された日時まで前記複数の自動取引装置それぞれを運用させる場合に必要な資金量を予測する予測手段と、この予測手段にて予測した資金量に応じて、前記自動取引装置それぞれの現金の補充量あるいは回収量を算出する算出手段と、この算出手段にて算出された前記自動取引装置それぞれの現金の補充量あるいは回収量を示す一覧表を作成する作成手段と、この作成手段にて作成された前記自動取引装置それぞれの現金の補充量あるいは回収量を示す一覧表を表示する表示手段とを具備している。


【手続補正１０】
【補正対象書類名】明細書
【補正対象項目名】００２１
【補正方法】変更
【補正の内容】
【００２１】
また、本発明の現金管理システムは、現金の取引を行なう複数の自動取引装置に対して、これら複数の自動取引装置それぞれの必要な資金量を予測して管理する現金管理システムにおいて、前記複数の自動取引装置それぞれの現金の在高などの現金情報を管理する管理手段と、資金予測を行なうための任意の日時を指定する指定手段と、前記管理手段にて管理されている前記複数の自動取引装置それぞれの現金情報を基に、現時点から前記指定手段にて指定された日時まで前記複数の自動取引装置それぞれを運用させる場合に必要な資金量を予測する予測手段と、この予測手段にて予測した資金量に応じて、前記複数の自動取引装置それぞれの現金の補充量あるいは回収量を算出する算出手段と、この算出手段にて算出した現金の補充量あるいは回収量を表示する表示手段と、前記予測手段にて予測された資金量に基づき、前記複数の自動取引装置それぞれの現金の在高推移データを作成する在高推移データ作成手段と、この在高推移データ作成手段にて作成された在高推移データを監視し、前記予測手段にて予測した在高推移とは異常に異なる在高推移の状態となった場合に、その旨を係員に警告する予測監視手段とを具備している。


【手続補正１１】
【補正対象書類名】明細書
【補正対象項目名】００２２
【補正方法】変更
【補正の内容】
【００２２】
さらに、本発明の現金管理システムは、金融機関の店舗内に設置される複数の自動取引装置の現金の在高を含む運用状態を管理する現金管理システムであって、この現金管理システムは、店舗内に設置されている複数の自動取引装置に対して補充または回収する現金を収納して前記複数の自動取引装置の間を移動するキャリアを備えた群管理機能を有し、前記キャリアを備えた店舗においては、この群管理機能を用いて複数の自動取引装置の現金の管理を行なうものであって、前記複数の自動取引装置それぞれの現金の在高などの現金情報を管理する管理手段と、資金予測を行なうための任意の日時を指定する指定手段と、資金予測を行なうために、あらかじめマージンとしての第１の予備量を設定する設定手段と、前記管理手段にて管理されている前記複数の自動取引装置それぞれの現金情報並びに前記設定手段にて設定された予備量に基づいて、現時点から前記指定手段にて指定された日時まで前記複数の自動取引装置それぞれを運用させる場合に必要な資金量を予測し、かつ、この予測した資金量に応じて前記複数の自動取引装置それぞれの現金の補充量あるいは回収量を算出する資金予測手段とを有し、この資金予測手段は、前記複数の自動取引装置個々に対する現金の補充量または回収量を算出する際には、前記設定手段にて設定された第１の予備量を用いて現金の補充量または回収量を算出する第１の算出手段と、前記キャリアが設置されていない店舗にて前記複数の自動取引装置全体としての現金の補充量または回収量を算出する際には、前記設定手段にて設定された第１の予備量に対して前記複数の自動取引装置の設置台数分を加えた第２の予備量を求め、この第２の予備量を用いて現金の補充量または回収量を算出する第２の算出手段と、前記キャリアが設置されている店舗にて前記複数の自動取引装置全体としての現金の補充量または回収量を算出する際には、前記第２の予備量よりも少ない第３の予備量を求め、この第３の予備量を用いて現金の補充量または回収量を算出する第３の算出手段とを具備したことを特徴とする。


【手続補正１２】
【補正対象書類名】明細書
【補正対象項目名】００２３
【補正方法】削除
【補正の内容】